(57)【要約】【課題】開封作業を効率良く、綺麗に、かつ、容易に行うことができることを可能とした開封手段付の包装材を提供するにあたり、長手方向に沿って破断用のカットテープが装着された連続する長尺の包装シートをロール状に巻回して開封手段付の包装材ロールとした場合でも、カットテープが装着された部分の盛り上がりを小さくする。【解決手段】ロール状に巻回された連続する長尺の包装シート１の長手方向に沿って、破断用のカットテープ２が一定の振れ幅で蛇行した状態で包装シートに装着された開封手段付の包装材ロール１０とする。このカットテープは、包装シートがひと巻きされる毎に少なくとも当該カットテープの幅の長さに相当する分だけ位置ずれして装着されたものとすると良い。また、包装シートは、カットテープの近傍に沿って破線状の小孔５を備えているものとすると望ましい。【選択図】図１
2017154745.tif 000002
【特許請求の範囲】
【請求項１】
ロール状に巻回された連続する長尺の包装シートの長手方向に沿って破断用のカットテープが装着された開封手段付の包装材ロールであって、
前記カットテープは、一定の振れ幅で蛇行した状態で包装シートに装着されていることを特徴とする開封手段付包装材ロール。
【請求項２】
前記カットテープは、包装シートがひと巻きされる毎に少なくとも当該カットテープの幅の長さに相当する分だけ位置ずれして装着されていることを特徴とする請求項１に記載の開封手段付包装材ロール。
【請求項３】
前記包装シートは、クラフト紙であることを特徴とする請求項１又は２に記載の開封手段付包装材ロール。
【請求項４】
前記包装シートは、長さ方向に伸張特性を有する伸張紙であることを特徴とする請求項１又は２に記載の開封手段付包装材ロール。
【請求項５】
前記包装シートは、前記カットテープの近傍に沿って破線状の小孔を備えていることを特徴とする請求項１乃至４の何れか１項に記載の開封手段付包装材ロール。
【請求項６】
前記包装シートは、前記カットテープが装着された位置に相当する外面に、視認することが可能な目印が施されていることを特徴とする請求項１乃至５の何れか１項に記載の開封手段付包装材ロール。
【請求項７】
前記目印は、前記包装シートとは色彩が異なる文字列であることを特徴とする請求項６に記載の開封手段付包装材ロール。
【請求項８】
前記文字列は、複数設けられたうちの少なくとも１の文字列の向きが逆に表示されていることを特徴とする請求項７に記載の開封手段付包装材ロール。
【請求項９】
ロール状に巻回された連続する長尺の包装シートの長手方向に沿って破断用のカットテープが装着された開封手段付の包装材ロールを製造する方法であって、
長尺の包装シートを連続して送り出す工程、
一定の振れ幅で蛇行するように破断用のカットテープを送り出しながら前記包装シートの一面に装着する工程、
前記カットテープが装着された前記包装シートをロール状に巻き取る工程、
を少なくとも含むことを特徴とする開封手段付包装材ロールの製造方法。
【請求項１０】
ロール状に巻回された連続する長尺の包装シートの長手方向に沿って破断用のカットテープが装着された開封手段付の包装材ロールを製造する装置であって、
連続して送り出される長尺の包装シートの長手方向と直交する方向に可動するように前記包装シートの一面側に架け渡された支持部材と、
送り出される破断用のカットテープを支持するように前記支持部材に取り付けられたカットテープ送り補助部材と、
駆動手段と、
前記駆動手段に取り付けられた偏心回転部材と、
前記偏心回転部材を介して前記駆動手段と連絡された、当該偏心回転部材の動きを往復運動に変換して前記支持部材に伝達する動力伝達部材と、
を少なくとも備えることを特徴とする開封手段付包装材ロールの製造装置。
【発明の詳細な説明】
【技術分野】
【０００１】
本発明は、連続する長尺の包装シートをロール状に巻回して構成した包装材ロールであて、使用時に適宜所望の長さに切断することで、物品の表面が汚損等することの無いように被覆・梱包するようにした包装材として用い、また、包装材の開封作業において、被包装物を傷付けることなく、開封作業を効率良く、綺麗に、かつ、容易に行うことができるように開封手段として破断用のカットテープを備える開封手段付の包装材ロール、及びその製造方法と製造装置に関する。
【背景技術】
【０００２】
商品となる物品の表面が汚損等することの無いように包装紙や包装フィルムといったシート状の包装材によって被覆して包装する場合、被覆した後に重なることとなる包装材の端部を接着剤等によって接合することが行われている。このような包装形態の包装体の場合、当該包装材を手で破く等することで開封作業を行うことができるが、開封位置（破く位置）や開封の仕方（破き方）によっては包装材が乱雑に細かく破れてしまい、開封作業に手間取ると共に、そのあと片づけが煩わしいものとなってしまうことがある。
【０００３】
また、包装材が乱雑に破れてしまうことを防止すると共に、開封作業を効率良く行うことを目的として、カッターナイフ等の刃物を用いて包装材を切断することも考えられるが、包装材は厚みが薄いものであるため、注意深く行わないと誤って刃物が包装材を突き破って被包装物である物品を傷付けてしまうおそれがある。
【０００４】
そこで、従来、包装材の内面又は表裏両面に破断用のカットテープを貼着した、カットテープ付包装材が提案されている（たとえば、特許文献１又は２を参照）。
このようなカットテープ付包装材では、カットテープの端部を指で摘まんで引っ張ることで、カットテープに沿って包装材が破断されることになり、包装材の開封作業において被包装物を傷付けられることがないと共に、開封作業を効率良く、綺麗に、かつ、容易に行うことができるものとなる。
【０００５】
このようなカットテープ付包装材は、被包装物となる物品の大きさに適合するように予め所定の寸法に設計した個別の包装材として成形することもできるが、色々な大きさをした物品の包装に対応できるように、連続する長尺のカットテープ付包装シートをロール状に巻回して構成した開封手段付の包装材ロールとして成形し、使用時に適宜所望の長さに、もしくは所定寸法ごとにまとめて切断することで個別の包装材としている。
【０００６】
しかしながら、開封手段付の包装材ロールは、ロール状に巻回された連続する長尺の包装シートの長手方向に沿って破断用のカットテープが直線状に装着されたものとなっているため、包装シートに装着された破断用のカットテープが互いに上下で重なり、破断用のカットテープが装着された位置に相当する部分が外側に盛り上がった、いわゆる巻太りの大のものとなってしまう。このような巻太りは、ロール状に巻回する回数が多くなるにつれて顕著なものとなる。そうすると、巻太りによって盛り上がった部分が邪魔になり、開封手段付の包装材ロールの移動や、重ねた状態での包装材ロールの保管等において支障が生じてしまい望ましくない。
【０００７】
また、カットテープによる包装材の破断を補助するために、カットテープに沿って破線状の小孔（いわゆる、ミシン目）を形成することもなされているが、破線状の小孔が形成された包装シートを巻回した場合、巻回数によってはカットテープが装着された部分の盛り上がりに起因して破線状の小孔が意図せず開裂してしまうことがある。そうすると、巻回できる包装シートの長さが短いものとなってしまう。
【０００８】
ゆえに、カットテープが装着された部分の盛り上がり（巻太り）を小さくすることができれば、包装材ロールの移動や保管等において支障のなく対応することができるものとして、巻回できる包装シートの長さをより長くすることができると共に、破線状の小孔が無暗に開裂してしまうおそれを低減した開封手段付の包装材ロールとするができるが、出願人が知る限り、このような課題に対応した開封手段付の包装材ロールは未だ提案されていない。
【先行技術文献】
【特許文献】
【０００９】
【特許文献１】実公昭４５−３３１０９号公報
【特許文献２】実公昭４８−１６６２２号公報
【発明の概要】
【発明が解決しようとする課題】
【００１０】
本発明は、上記事情に鑑みて成されたものであり、開封作業を効率良く、綺麗に、かつ、容易に行うことができることを可能とした開封手段付の包装材を提供するにあたり、長手方向に沿って破断用のカットテープが装着された連続する長尺の包装シートをロール状に巻回して開封手段付の包装材ロールとした場合でも、カットテープが装着された部分の盛り上がりを小さくすることができる技術を提供することを目的とする。
【課題を解決するための手段】
【００１１】
本発明の開封手段付包装材ロールは、ロール状に巻回された連続する長尺の包装シートの長手方向に沿って破断用のカットテープが装着された開封手段付の包装材ロールであって、前記カットテープは、一定の振れ幅で蛇行した状態で包装シートに装着されていることを特徴とする。
【００１２】
本発明においてカットテープは、包装シートがひと巻きされる毎に少なくとも当該カットテープの幅の長さに相当する分だけ位置ずれして装着されていると望ましい。
【００１３】
本発明において包装シートは、クラフト紙もしくは長さ方向に伸張特性を有する伸張紙とすることができる。
また、本発明において包装シートは、カットテープの近傍に沿って破線状の小孔を備えているものとすると望ましい。
【００１４】
また、本発明において包装シートは、カットテープが装着された位置に相当する外面に、視認することが可能な目印が施されているものとすることもできる。この目印は、包装シートとは色彩が異なる帯状の着色領域や文字列、帯状の模様領域とすることができる。
また、目印を文字列とした場合、複数設けられたうちの少なくとも１の文字列の向きが逆に表示されているものとしても良い。
【００１５】
また、本発明の開封手段付包装材ロールの製造方法は、ロール状に巻回された連続する長尺の包装シートの長手方向に沿って破断用のカットテープが装着された開封手段付の包装材ロールを製造する方法であって、長尺の包装シートを連続して送り出す工程、一定の振れ幅で蛇行するように破断用のカットテープを送り出しながら前記包装シートの一面に装着する工程、前記カットテープが装着された前記包装シートをロール状に巻き取る工程、を少なくとも含むことを特徴とする。
【００１６】
さらに、本発明の開封手段付包装材ロールの製造装置は、ロール状に巻回された連続する長尺の包装シートの長手方向に沿って破断用のカットテープが装着された開封手段付の包装材ロールを製造する装置であって、連続して送り出される長尺の包装シートの長手方向と直交する方向に可動するように前記包装シートの一面側に架け渡された支持部材と、送り出される破断用のカットテープを支持するように前記支持部材に取り付けられたカットテープ送り補助部材と、駆動手段と、前記駆動手段に取り付けられた偏心回転部材と、前記偏心回転部材を介して前記駆動手段と連絡された、当該偏心回転部材の動きを往復運動に変換して前記支持部材に伝達する動力伝達部材と、を少なくとも備えることを特徴とする。
【発明の効果】
【００１７】
本発明の開封手段付包装材ロールは、破断用のカットテープが、一定の振れ幅で蛇行した状態で包装シートに装着されている。ゆえに、ロール状に巻回された包装材ロールにおいて、包装シートに装着された破断用のカットテープは互いに上下で直に重ならずに位置ずれしたものとなる。
したがって、長手方向に沿って破断用のカットテープが装着された連続する長尺の包装シートをロール状に巻回して開封手段付の包装材ロールとした場合、カットテープが装着された部分の盛り上がりが一定の幅で拡がったものとなることで、巻太りの程度が小さく抑制されたものとすることができる。また、巻太りの程度が小さくなることで、包装材ロールの移動や保管等において支障のなく対応することができると共に、巻回できる包装シートの長さをより長くすることができる。
【００１８】
また、本発明の開封手段付包装材ロールの製造方法は、一定の振れ幅で蛇行するように破断用のカットテープを送り出しながら包装シートの一面に装着する工程を含んでいる。この工程は、連続する長尺の包装シートの長手方向に沿って破断用のカットテープを装着する際、送り出される破断用のカットテープを一定の振れ幅で搖動させるといった工夫を施したものである。ゆえに、包装シートに対する破断用のカットテープの装着と、破断用のカットテープの搖動が、支障なく略同時に成されるものとなる。
したがって、ロール状に巻回された連続する長尺の包装シートの長手方向に沿って破断用のカットテープが一定の振れ幅で蛇行した状態で容易に装着された開封手段付の包装材ロールを効率良く製造することができる。
【００１９】
また、本発明の開封手段付包装材ロールの製造装置は、送り出される破断用のカットテープを支持するカットテープ送り補助部材が取り付けられた支持部材と、偏心回転部材が取り付けられた駆動手段と、偏心回転部材の動きを往復運動に変換して支持部材に伝達する動力伝達部材とを少なくとも備える。ゆえに、駆動手段の動作に伴う偏心回転部材の動きを動力伝達部材が往復運動に変換して支持部材に伝達し、包装シートの長手方向と直交する方向に支持部材を搖動すると共に、この支持部材に取り付けられたカットテープ送り補助部材も同様に搖動させることができる。
したがって、カットテープ送り補助部材に支持されている破断用のカットテープを一定の振れ幅で蛇行するように送り出しながら包装シートの一面に装着する工程を含む開封手段付包装材ロールの製造方法を実施することができる。
【図面の簡単な説明】
【００２０】
【図１】本発明に係る開封手段付包装材ロールを示す斜視図と、所望の長さに個別に切断して形成した包装材を示す正面図である。
【図２】本発明に係る開封手段付包装材ロールにおいて包装シートに対して破断用カットテープを装着する方法の一例を示す部分拡大断面図である。
【図３】本発明に係る開封手段付包装材ロールを製造する装置の一例を概略的に示す図であって、（Ａ）破断用カットテープを蛇行させる第一の状態を示す平面図、（Ｂ）同じく第二の状態を示す平面図である。
【図４】図３において概略的に示す装置の側面図である。
【図５】本発明に係る開封手段付包装材ロールを所望の長さに個別に切断して形成した包装材を示す、（Ａ）内面側平面図、（Ｂ）外面側平面図である。
【図６】図５に示す包装材を用いて物品を被覆する場合を説明する、（Ａ）包装材の上に物品を載置した状態の平面図、（Ｂ）包装材の上に物品を載置した状態の側面図、（Ｃ）包装材の上に載置した物品を包んだ状態の斜視図である。
【図７】本発明に係る開封手段付包装材ロールの外面に施した他の目印として、（Ａ）市松模様を施した状態を示す部分拡大平面図、（Ｂ）文字列を施した状態を示す部分拡大平面図である。
【図８】本発明に係る開封手段付包装材ロールの外面に目印として文字列を施した他の例を示す部分拡大平面図である。
【発明を実施するための形態】
【００２１】
次に、本発明の実施の形態の一例を図面に基づいて説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２２】
図１に示すように、本発明における開封手段付包装材ロール（以下、単に「包装材ロール」という。）１０は、長尺の包装シート１と、破断用のカットテープ２から構成されたものであって、ロール状に巻回された連続する包装シート１の長手方向に沿ってカットテープ２が一定の振れ幅で蛇行した状態で装着されたものである。
【００２３】
包装シート１は、被包装体となる物品を被覆包装することが可能な柔軟な薄厚のシート体であって、カットテープ２によって破断することができるものであれば、素材は特に限定されるものではない。このような包装シート１としては、たとえば、クラフト紙などの紙材や、合成樹脂材からなるフィルム、アルミ箔、又は紙材と合成樹脂材とを組み合わせたもの（具体的には、クラフト紙などにポリオレフィン系樹脂を塗布又はポリオレフィン系樹脂フィルムを貼り合せたもの）、紙材とアルミ箔とを組み合わせたもの（具体的には、パルプ紙にアルミ箔を貼り合せたホイル紙）、もしくはアルミ箔と合成樹脂材とを組み合わせたもの（具体的には、アルミ箔にポリオレフィン系樹脂を塗布又はポリオレフィン系樹脂フィルムを貼り合わせたもの）などとすることができる。
【００２４】
クラフト紙は、クラフトパルプを原料とした強度の強い紙の総称であって、防湿性や印刷適性、加工適性が良好であるため包装材として望ましい。
また、クラフト紙以外の紙材としては、長さ方向に伸張特性を有する伸張紙とすることができる。伸張紙は、たとえば、クルパック処理といった方法により紙を収縮させて伸び特性を得ているものであって、「クルパック」と称されるものが知られている。このような伸張紙は引裂き方向性を有するものであって、包装シート１を引裂いたときに拡がってしまうことが少なく綺麗に破断することができる。
【００２５】
カットテープ２は、包装材ロール１０から包装シート１を所望の長さに個別に切断して形成した包装材１１の開封作業において、被包装物を傷付けることなく、開封作業を効率良く、綺麗に、かつ、容易に行うことができるように開封するための手段であって、包装材１１（包装シート１）を破断するのに十分な強度を有する帯状体である。すなわち、カットテープ２は、包装シート１より強度の大きい材料を用いて形成されている。
このようなカットテープ２としては、たとえば、ポリプロピレン（ＰＰ）やポリエチレンテレフタレート（ＰＥＴ）などの合成樹脂材料によって形成されたものが使用可能である。
【００２６】
また、カットテープ２としては、ナイロン糸や、金属製のワイヤといった幅の小さい紐状（線状）体とすることも考えられる。しかしながら、紐状をしたものであると、包装シート１に対する接触面積が少なく接着剤や加熱溶着等による装着強度が劣り、カットテープ２を引っ張る開封作業中に包装シート１から剥離して抜け落ちてしまうおそれがある。
【００２７】
そのため、カットテープ２は包装シート１に対する接触面積が大きくなる帯状体とすることが望ましい。そうすると、包装シート１に対する装着強度が増したものとなり、カットテープ２を引っ張る開封作業中にカットテープ２が包装シート１から剥離してしまうことがなく、確実に開封作業を行えるものとすることができる。
ゆえに、カットテープ２としては、合成樹脂材料を帯状に形成したものが望ましい。
【００２８】
なお、カットテープ２として用いる合成樹脂材料によっては、包装シート１に対する装着の際に引っ張ることで伸張してしまう場合がある。カットテープ２が伸張してしまうと、包装シート１に対する装着において浮きが発生してしまい、装着強度が落ちたものとなってしまう。すなわち、包装シート１に対する装着用の接着剤が予め一面に塗布された状態のカットテープ２が伸張してしまうと、カットテープ２の一面において接着剤が塗布されていない、もしくは接着剤の塗布が不充分な部分が生じてしまい、この部分が包装シート１に対して装着されない浮きとなってしまう。
【００２９】
また、カットテープ２が伸張してしまうと、包装シート１に対する装着後に元に戻ろうとして収縮が生じ、カットテープ２が装着された部分において包装シート１に皺が発生したものとなってしまうおそれがある。このような皺は、包装材シート１として上述したクルパックを用いると抑えられる傾向にあるが、包装シート１に対して装着されない浮きを抑えることはできない。ゆえに、カットテープ２に用いる合成樹脂材料としては、伸張性の少ないもの、たとえば、ポリプロピレン（ＰＰ）とすることが望ましい。
【００３０】
また、カットテープ２の厚みは特に限定されるものではないが、カットテープ２が装着された包装シート１をロール状に巻回して包装材ロール１０としたときに、その外面においてカットテープ２が装着された部分の巻太りを小さくするために、できるだけ厚みは薄い方が望ましい。一方で、厚みを余りに薄くし過ぎると、包装シート１の破断途中でカットテープ２が千切れてしまう等の強度の低下を招くおそれがある。
【００３１】
カットテープ２の強度は単にその厚みによって決まるものではなく、カットテープ２に用いる材料の種類と幅と厚みによって左右されるものであって、必要に応じて種々設計することができる。ちなみに、出願人がポリプロピレン製のカットテープ２を用いてクラフト紙を破断する試験をし、種々検討をしたところ、ポリプロピレン製のカットテープ２の場合、その幅と厚みは概ね、幅４ｍｍ、厚み０．０６ｍｍ（６０μｍ）をしたものが強度的に申し分なく厚みも薄くて望ましかった。
【００３２】
また、包装シート１に対してカットテープ２を装着する際の蛇行の振れ幅も特に限定されるものではなく、包装材１１の開封作業が支障なく行える程度の振れ幅とすることができる。また、カットテープ２の振れ幅は一定のものであるが、ここでの一定とは、上述のように包装材１１の開封作業が支障なく行える程度の振れ幅をいう。ゆえに、所定の振れ幅の範囲内であれば、同じ振れ幅で規則正しく蛇行するものであっても、振れ幅は同じであるが振れる長さ（周期）が異なり不規則に蛇行するものであっても、異なる振れ幅で不規則に蛇行するものであっても良い。
【００３３】
ちなみに、出願人が幅４ｍｍ、厚み０．０６ｍｍのポリプロピレン製のカットテープ２を用いてクラフト紙を破断する試験をし、種々検討をしたところ、カットテープ２の振れ幅としては、２０〜４５ｍｍの範囲が好ましく、２５〜３０ｍｍの範囲とするのが望ましかった。
【００３４】
図１において、包装材ロール１０は、一定の振れ幅Ｔｗで蛇行するカットテープ２が装着された面１ａを内側にしてロール状に巻回された状態として示され、所望の長さとして図中一点鎖線で示すＩ−Ｉ線に沿って切断されることで、包装材ロール１０から個別の包装材１１が形成されることが示されている。
【００３５】
また、本発明の包装材ロール１０においてカットテープ２は、図１に示すように、包装材１１を用いて物品を被覆した際に、重ね合わされて貼着されることとなる重着領域αを避けて、包装シート１における内面１ａに接着剤等を用いて装着されている。この重着領域αは、包装材１１を重ね合わせて貼着することに利用される可能性のある領域であって、必ずしも重着領域αの全てが貼着されることとなるものではない。
【００３６】
ゆえに、包装材ロール１０においてカットテープ２は、包装材１１として用いた場合に重着領域αとなる包装シート１における端部側の一定幅を避けて、その内面１ａにおいて一定の振れ幅Ｔｗで蛇行した状態で装着されるものとなっている。
【００３７】
このようにカットテープ２が装着された包装材１１においては、カットテープ２による包装材１１の破断がその重着領域（すなわち、重なって貼着されていない領域に比して強度が増して破断し辛くなっている領域）αで引っ掛かったり、カットテープ２が途中で破断してしまったりすることなく、円滑に、かつ、綺麗に開封作業を行うことができるものとなる。
【００３８】
また、カットテープ２は、たとえば、包装シート１がひと巻きされる毎に少なくとも当該カットテープ２の幅２ｗの長さに相当する分だけ（振れ幅方向の領域内で）位置ずれするように蛇行した状態で装着されているものとすると望ましい。このように蛇行した状態でカットテープ２を包装シート１に装着すると、包装シート１の巻回において、上層の包装シート１に装着されたカットテープ２と下層の包装シート１に装着されたカットテープ２とが重ならないものとすることができる。ゆえに、包装材ロール１０の外面においてカットテープ２が設けられた領域が、より平坦性を保って効率良く巻回されることになる。
【００３９】
図２において、包装材ロール１０は、包装シート１がひと巻きされて重なる毎に、カットテープ２の幅２ｗの長さに相当する分だけ位置ずれし、上層の包装シート１に装着されたカットテープ２と下層の包装シート１に装着されたカットテープ２とが上下で互いに重ならず、カットテープ２が一定の振れ幅Ｔｗで折り返し蛇行して装着されたものとして示されている。
【００４０】
また、本発明においては、図１に示すように、カットテープ２の近傍に沿って包装シート１に切り取り用の破線状の小孔（いわゆる、破断用ミシン目）５が形成された包装材ロール１０とすることができる。
【００４１】
破断用ミシン目５は、カットテープ２による包装材１１の破断を補助するものである。この破断用ミシン目５は、カットテープ２の長さ方向に沿って片側または両側の近傍に形成することができる。また、カットテープ２の長さ方向に沿って両側の近傍に破断用ミシン目５を夫々形成する場合、破断用ミシン目５同士の間隔は、少なくとも蛇行して装着されるカットテープ２の振れ幅Ｔｗと略等しいか、若干広めに形成されたものなる。
【００４２】
このように、カットテープ２に沿って破断用ミシン目５を形成することで、包装シート１の破断状態が乱れることなく、破断用ミシン目５に沿って包装シート１が破断され易くなるものとなり、カットテープによる包装シート１の破断を補助して、効率良く綺麗に包装シートの破断作業を行うことができる。
図１において、破断用ミシン目５は、包装シート１に装着したカットテープ２の長さ方向に沿って両側近傍に、片側一重にそれぞれ形成されたものとして示されている。
【００４３】
また、本発明においては、図１に示すように、包装シート１におけるカットテープ２が装着された位置に相当する外面１ｂに、視認することが可能な目印８が施された包装材ロール１０とすることができる。
すなわち、目印８は、物品に対して一重に巻装することで露呈することとなる包装材１１の外面１ｂは勿論のこと、物品に対して幾重にも巻装することで露呈することとなる包装材１１の外面（すなわち、最外面）１ｂにおいて、視認することが可能なようにカットテープ２に沿うように設けられたものとなっている。
【００４４】
ゆえに、物品に対して一重に巻装することとなる大きさをした包装材１１の場合は、カットテープ２が装着された位置に相当する包装シート１の外面１ｂ（裏側）に目印８が施されたものとなる。一方、物品に対して幾重にも巻装することとなる大きさをした包装材１１の場合は、カットテープ２が装着された位置を基準として、包装する物品の外周面の長さに包装シート１の巻装回数を乗じた距離に相当する包装シート１の外面１ｂに目印８が施されたものとなる。
【００４５】
なお、物品に対して幾重にも巻装することとなる大きさをした包装材１１の場合、目印８は、少なくとも巻装したときの包装シート１の最外面１ｂに施されていればよいものではあるが、カットテープ２が装着された位置を基準として、物品の外周面の長さに相当する位置ごとに、一層（一重）ずつ施されているものであっても良い。
【００４６】
この目印８は、包装シート１とは色彩が異なる帯状の着色領域とすることが望ましく、カットテープ２の幅よりも大きいものが望ましい。具体的には、たとえば、カットテープ２の振れ幅Ｔｗの大きさに等しい帯状の着色領域とすることができる。
【００４７】
このように、包装シート１の外面１ｂに、包装シート１のとは色彩が異なる目印８を施すことで、カットテープ２の位置を一目で容易に見つけ出すものとすることができる。
図１において、目印８は、物品に対して一重に巻装する場合の包装シート１（包装材１１）の外面１ｂに、長さ方向に沿って帯状の着色領域が印刷等によって施されたものとして示されている。
【００４８】
また、図示しないが、目印は、半球状や円盤状等をした立体的な突出体とすることもできる。突出体とした場合においても、一目で容易に見つけ出すことができるように、包装シート１のとは異なる色彩が施されたものとすることが望ましい。
ただし、突出体の場合、突出度合いが小さいものは、一目で見つけ出すことが困難なものとなる場合があり、一方、突出度合いの大きなものは、厚みが大きくなって嵩張るものしまうため、突出度合いには注意を要する。
【００４９】
図１において、包装材ロール１０は、その内面１ａに、重着領域αを避けてカットテープ２を装着すると共に、同外面１ｂに、視認することが可能な目印８を施し、さらに、カットテープ２の長さ方向に沿って両側近傍にそれぞれ一重にミシン目５が形成されたものとして示されている。
【００５０】
次に、本発明の包装材ロール１０の製造方法及び製造装置の一例について説明する。
図３及び図４において示すように、まず、原紙ロール（図示しないが、図において左側に配されている）から包装シート１を連続して送り出す。このロールはリール（巻軸）に支持され、その原紙ロールから、たとえば、クラフト原紙などの包装シート１が、テンションローラや反転ローラを介してカットテープ２が装着される位置まで送り出される。図中の白抜き矢印は、包装シート１の送り出し方向を示す。
【００５１】
次いで、カットテープロール（図示しないが、図において右側に配されている）からカットテープ２を送り出し、一定の振れ幅で蛇行するように振れさせながら、包装シート１の一面にカットテープ２を装着する。このカットテープロールもリール（巻軸）に支持され、カットテープロールからカットテープ２が包装シート１の送り出し速度に連動して送り出される。図中の黒塗り矢印は、カットテープ２の送り出し方向を示す。
【００５２】
送り出されたカットテープ２は、包装シート１に装着する直前で振れるように本発明の包装材ロール１０の製造装置に支持されるものとなる。この製造装置は、たとえば、送り出されるカットテープ２を支持するカットテープ送り補助部材２１と、このカットテープ送り補助部材２１が取り付けられた支持部材２２と、駆動手段２３と、この駆動手段に取り付けられた偏心回転部材２４と、偏心回転部材２４の動きを往復運動に変換して支持部材２２に伝達する動力伝達部材２５とを少なくとも備えているものとすることができる。
【００５３】
カットテープ送り補助部材２１は、包装シート１に対するカットテープ２の装着の位置を決めるように支持部材２２を軸として取り付けられた、周面にカットテープ２を支持する溝を備える円盤状をした溝付きガイドロールである。
支持部材２２は、連続して送り出される包装シート１の長手方向と直交する方向に可動するように包装シート１の一面側に架け渡された棒状のシャフトである。
【００５４】
駆動手段２３は、可変速付モータである。
偏心回転部材２４は、駆動手段２３に対して着脱自在に取付けられたカムである。この偏心回転部材２４の偏心の程度によってカットテープ２の振れ幅が決定されるため、偏心回転部材２４の大きさを適宜変更（交換）することで、カットテープ２の振れ幅を調整することができる。
【００５５】
動力伝達部材２５は、二つの爪部２５ａ，２５ｂが一定の間隔を有して配された、偏心回転部材２４を挟持するラックである。この動力伝達部材２５は、偏心回転部材２４を介して駆動手段２３と連絡されていると共に、支持部材２２の一端側に固定して取り付けられている。
【００５６】
このような製造装置を用いることにより、駆動手段２３の動作に伴う偏心回転部材２４の動きを動力伝達部材２４が往復運動に変換して支持部材２２に伝達し、包装シート１の長手方向と直交する方向に支持部材２２を搖動する。そうすると、この支持部材２２に取り付けられたカットテープ送り補助部材２１が同様に搖動することとなり、一定の振れ幅で蛇行するように振れさせながらカットテープ２を送り出すことができる。
【００５７】
すなわち、駆動手段２３の動作に伴って偏心回転部材２４が動力伝達部材２５の一方の爪部２５ａに当接し、この爪部２５ａを押し込むように動作すると、動力伝達部材２に取り付けられた支持部材２２が図中一点鎖線矢印で示す方向に移動する。そうすると、この支持部材２２に取り付けられたカットテープ送り補助部材２１が同じ方向に移動するものとなる（図３（Ａ）を参照）。一方、駆動手段２３の動作に伴って偏心回転部材２４が動力伝達部材２５の他方の爪部２５ｂに当接し、この爪部２５ｂを押し込むように動作すると、動力伝達部材２に取り付けられた支持部材２２が図中二点鎖線矢印で示す方向に移動する。そうすると、この支持部材２２に取り付けられたカットテープ送り補助部材２１が同じ方向に移動するものとなる（図３（Ｂ）を参照）。
【００５８】
ゆえに、これらの動作が連続して繰り返されることによって、カットテープ送り補助部材２１が一定の振れ幅で搖動し、カットテープ送り補助部材２１に支持されたカットテープ２も一定の振れ幅で蛇行するものとなる。
【００５９】
そして、カットテープ送り補助部材２１を介して送り出されたカットテープ２は、包装シート１の一面に装着されるが、その方法は特に限定されない。ゆえに、たとえば、図４に示すように、カットテープ２の送り出す位置を、包装シート１を送り出す位置を越えるように位置ずれして配することで、送り出される包装シート１によってカットテープ２を押し込むようにしてカットテープ２に張力を掛けて装着するものとしても良い。この際、包装シート１と接するカットテープ２の一面には、予め接着剤が塗布されたものとなっている。
【００６０】
図４において、包装シート１は反転ロール２６によって送り出され、一方、カットテープ２は反転ロール２６の位置よりも包装シート１が送り出される上流側に位置するカットテープ送り補助部材２１によって送り出されるものとして示されている。ゆえに、カットテープ送り補助部材２１を介して送り出されるカットテープ２は、反転ロール２６を介して送り出される包装シート１によって押し込まれ、包装シート１が送り出される上流側に向かう張力がカットテープ２に対して掛かるものとなっている。
【００６１】
なお、包装シート１の一面に対するカットテープ２の装着方法はこれに限定せず、送り出されたカットテープ２を、予め接着剤が塗布されていない他面側より押圧して包装シート１に圧着するようにしても良い。
【００６２】
そして、カットテープ２が装着された包装シート１をリール（巻軸）に巻き取る。
以上により、ロール状に巻回された包装シート１の長手方向に沿ってカットテープ２が装着された本発明の包装材ロール１０を製造することができる。
【００６３】
以上のように製造した本発明の包装材ロール１０は、上述したように、包装する物品の大きさ（長さ）に合わせて包装シート１を適宜切断することで使用するものであり、図１中に示す一点鎖線に沿って切断することで、一枚の包装材１１として用いるものである。
【００６４】
この包装材１１は、図５に示すように、カットテープ２の長さ方向端部側において、包装材１１の端縁部に若干の切り込み６を施し、この切り込み６によってカットテープ２の端部を指先で掴む摘まみ部７を形成したものとすることで、開封作業を効率良く行うものとすることができる。また、包装材１１は、巻き始め端部側もしくは巻き終わり端部側の何れか一方における一面側に粘着層９が設けられたものとすることができる。この粘着層９は、包装シート１で物品の周胴面を被覆した後に巻装した包装シート１の端部を固定するための手段である。
【００６５】
図５（Ａ），（Ｂ）において、包装材１１は、カットテープ２の長さ方向端部を挟むように両側近傍に切り込み６，６がそれぞれ設けられ、この二つの切り込み６，６で挟まれた間に摘まみ部７が形成されていると共に、包装シート１の重着領域αを有する側の端部とは逆側の端部における包装シート１の内面１ａに、粘着層９が設けられたものとして示されている。
【００６６】
次に、上述のように形成した包装材１１を用いて、物品を被覆する場合について説明する。
まず、図６（Ａ）に示すように、矩形状をしたシート体からなる包装材１１の内面１ａ側の略中央部に、カットテープ２の長さ方向に沿うように物品Ｍを載置する。この包装材１１は、上述したように、包装材ロール１０より包装シート１を引き出して切断することより形成したものであり、包装する物品Ｍの大きさ（長さ）に合わせて適宜大きさを調整することができるものである。
図６（Ａ）において、包装材１１は、物品Ｍの周胴面を一重に巻装できる大きさをした一辺と、物品Ｍの長さより若干長めの大きさをした一辺を有する、矩形状シート体として示されている。
【００６７】
次いで、図６（Ｂ）に示すように、図中の一点鎖線矢印にしたがって、包装材１１の対向する二方向の端部同士を重ね合わせるように、物品Ｍの周胴面に包装材１１を巻き付けて被覆する。このとき、包装材１１における巻き終わり端部側の内面１ａもしくは巻き始め端部側の外面１ｂの何れか一方に粘着層９が設けられていると、重ね合わせ部の貼着作業を効率良く行うものとすることができる。
図６（Ｂ）において、粘着層９は、包装材１１における巻き終わり端部側の内面１ａに設けられたものとして示されている。
【００６８】
そして、図６（Ｃ）に示すように物品Ｍを包み込んだ後、カットテープ２の長さ方向両端部側に飛び出した包装材１１の端縁部分を、それぞれ内側に折り込んで筒状体に包装された包装体とする。
そうすると、包装材１１の外面１ｂに施した目印５が表面に露呈して物品Ｍが包み込まれたものとなる。
【００６９】
そして、この包装体の開封においては、まず、折り込んだ包装材１１の端縁部分を引き起こし、包装材１１の端縁部分に設けられた摘まみ部７を露呈させる。次いで、この摘まみ部７を摘んでカットテープ２を他端側へ向かって引っ張り、包装材１１を破断する。そうすると、包装材１１はカットテープ２に沿って綺麗に破断され、効率良く開封作業を行うことが出来、物品Ｍを簡単に取り出すことができる。
【００７０】
以上のように本発明によれば、カットテープ２が、一定の振れ幅Ｔｗで蛇行した状態で包装シート１に装着されているので、ロール状に巻回された包装材ロール１０において、包装シート１に装着されたカットテープ２は互いに上下で直に重ならずに位置ずれしたものとなる。
ゆえに、カットテープ２が装着された部分の盛り上がりが振れ幅Ｔｗに等しい一定の幅で拡がったものとなり、巻太りの程度が小さく抑制されたものとすることができる。しかも、包装材ロール１０における巻太りの程度が小さくなることで、巻回できる包装シート１の長さをより長くすることができる。
【００７１】
出願人が、厚み０．０８ｍｍのクラフト紙からなる包装シート１に対して、幅４ｍｍ、厚み０．０６ｍｍをしたポリプロピレン製のカットテープ２を、振れ幅２５ｍｍで蛇行させて装着して３０００ｍ巻き取った包装材ロール１０を製造したところ、包装材ロール１０の巻径は６２０ｍｍであったが、カットテープ２が装着された部分の盛り上がり高さは１．０〜２．０ｍｍ程度であって、包装材ロール１０の移動や保管等において何の違和感のないものとすることができた。
【００７２】
また、本発明の包装材ロール１０は、連続する包装シート１の長手方向に沿ってカットテープ２を装着する際、送り出されるカットテープ２を一定の振れ幅Ｔｗで搖動させるといった工夫を施すことで、包装シート１に対するカットテープ２の装着と、カットテープ２の搖動が支障なく略同時に成され、効率良く製造することができる。
【００７３】
なお、上述した実施の形態において、目印は帯状の着色領域として説明したが、本発明の目印は、包装シート１とは色彩が異なる帯状の模様領域や、文字列とすることもできる。すなわち、帯状の着色領域と同様に、包装シート１の外面１ｂにおいてカットテープ２の長さ方向に沿うように、色彩が異なる帯状の模様領域や、所望の文字列からなる目印が施されたものとしても良い。
【００７４】
図７（Ａ）において、包装シート１の外面１ｂに、帯状の市松模様領域からなる目印１８が施された一例が示されている。
また、図７（Ｂ）において、包装シート１の外面１ｂに、「開封テープ」なる文字列と、白抜き矢印の図形からなる目印２８が繰り返し施された一例が示されている。
【００７５】
さらに、本発明において目印は、所望の文字列からなるものとした場合、複数設けられたうちの少なくとも１の文字列の向きが逆に表示されているものとしても良い。
このように複数の文字列における一部の文字列の向きを逆とすることで、包装材１１を開封する際に開封者がどちらの側にいても、目印２８の文字を判別することができるものとなる。
【００７６】
図８において、包装シート１の外面１ｂに、「開封テープ」なる文字列と、白抜き矢印の図形からなり、左側を上にした第一の文字列からなる目印２８Ａと、右側を上にした第二の文字列からなる目印２８Ｂが、印刷用ロールが一回転する過程で三つ繰り返し設けられた目印２８が施された一例が示されている。
【符号の説明】
【００７７】
Ｍ  物品（被包装体）、Ｔｗ  振れ幅、α  重着領域、１  包装シート、１ａ  内面、１ｂ  外面、２  カットテープ（開封手段）、５  破断用ミシン目（開封補助手段）、６  切り込み、７  摘まみ部、８  目印、９  粘着層、１０  包装材ロール、２１  補助部材（溝付きガイドロール）、２２  支持部材（シャフト）、２３  駆動手段（可変速付モータ）、２４  偏心回転部材（カム）、２５  動力伝達部材（ラック）。
【図１】
2017154745.tif 000003
【図２】
2017154745.tif 000004
【図３】
2017154745.tif 000005
【図４】
2017154745.tif 000006
【図５】
2017154745.tif 000007
【図６】
2017154745.tif 000008
【図７】
2017154745.tif 000009
【図８】
2017154745.tif 000010
【手続補正書】
【提出日】平成29年3月1日(2017.3.1)
【手続補正１】
【補正対象書類名】特許請求の範囲
【補正対象項目名】請求項１
【補正方法】変更
【補正の内容】
【請求項１】
ロール状に巻回された連続する長尺の包装シートの長手方向に沿って破断用のカットテープが装着された開封手段付の包装材ロールであって、
前記カットテープは、一定の振れ幅で蛇行し、かつ、包装シートがひと巻きされて重なるごとに上下で互いに重ならない状態で包装シートに装着されていることを特徴とする開封手段付包装材ロール。
【手続補正２】
【補正対象書類名】特許請求の範囲
【補正対象項目名】請求項９
【補正方法】変更
【補正の内容】
【請求項９】
ロール状に巻回された連続する長尺の包装シートの長手方向に沿って破断用のカットテープが装着された開封手段付の包装材ロールを製造する方法であって、
長尺の包装シートを連続して送り出す工程、
一定の振れ幅で蛇行し、かつ、包装シートがひと巻きされて重なるごとに上下で互いに重ならないように破断用のカットテープを送り出しながら前記包装シートの一面に装着する工程、
前記カットテープが装着された前記包装シートをロール状に巻き取る工程、
を少なくとも含むことを特徴とする開封手段付包装材ロールの製造方法。
【手続補正３】
【補正対象書類名】明細書
【補正対象項目名】００１１
【補正方法】変更
【補正の内容】
【００１１】
本発明の開封手段付包装材ロールは、ロール状に巻回された連続する長尺の包装シートの長手方向に沿って破断用のカットテープが装着された開封手段付の包装材ロールであって、前記カットテープは、一定の振れ幅で蛇行し、かつ、包装シートがひと巻きされて重なるごとに上下で互いに重ならない状態で包装シートに装着されていることを特徴とする。
【手続補正４】
【補正対象書類名】明細書
【補正対象項目名】００１５
【補正方法】変更
【補正の内容】
【００１５】
また、本発明の開封手段付包装材ロールの製造方法は、ロール状に巻回された連続する長尺の包装シートの長手方向に沿って破断用のカットテープが装着された開封手段付の包装材ロールを製造する方法であって、長尺の包装シートを連続して送り出す工程、一定の振れ幅で蛇行し、かつ、包装シートがひと巻きされて重なるごとに上下で互いに重ならないように破断用のカットテープを送り出しながら前記包装シートの一面に装着する工程、前記カットテープが装着された前記包装シートをロール状に巻き取る工程、を少なくとも含むことを特徴とする。